(57)【要約】【課題】コネクタ及びコネクタを有する装置において、ピンへのダメージを防止して確実な電気的接続を可能とすることを目的とする。【解決手段】一対の対向する側壁と前記側壁を接続する底部で形成される内部空間を有する枠部と、内部空間内で底部から柱状に突出する複数のピンと、ピンが貫通する複数の穴と磁石を有し内部空間内でピンに案内されてピンを保護する第１の位置とピンを外部部材と電気的に接続可能に露出させる第２の位置の間を移動可能なカバーと、枠部に設けられ外部部材の内部空間への挿入を検知すると検知信号を出力する検知部と、磁石に対向する底部上の位置に設けられた電磁石と、検知信号が入力されない期間は電磁石を磁石と同極性の磁場を発生する正常オン状態に制御してカバーを第１の位置まで移動させると共に、検知信号が入力されると電磁石をオフ状態又は磁石と反対極性の磁場を発生する反転オン状態に制御してカバーを第２の位置まで移動させる制御部を備えるようにする。【選択図】図２
2010225331.tif 000002
【特許請求の範囲】
【請求項１】
一対の対向する側壁と前記側壁を接続する底部で形成される内部空間を有する枠部と、
前記内部空間内で前記底部から柱状に突出する複数のピンと、
前記複数のピンが貫通する複数の穴と磁石を有し、前記内部空間内で前記複数のピンに案内されて前記複数のピンを保護する第１の位置と前記複数のピンを外部部材と電気的に接続可能に露出させる第２の位置の間を移動可能なカバーと、
前記枠部に設けられ、前記外部部材の前記内部空間への挿入を検知すると検知信号を出力する検知部と、
前記磁石に対向する前記底部上の位置に設けられた電磁石と、
前記検知信号が入力されない期間は前記電磁石を前記磁石と同極性の磁場を発生する正常オン状態に制御して前記カバーを前記第１の位置まで移動させると共に、前記検知信号が入力されると前記電磁石をオフ状態又は前記磁石と反対極性の磁場を発生する反転オン状態に制御して前記カバーを前記第２の位置まで移動させる制御部を備えた、コネクタ。
【請求項２】
前記複数のピンの突出量は前記複数のピンの先端が前記一対の対向する側壁の上端縁から突出しない量であり、
前記前記第１の位置では、前記複数のピンの先端が前記カバーの前記複数の穴から突出しない、請求項１記載のコネクタ。
【請求項３】
前記カバーは、前記一対の対向する側壁に沿って移動する第１の対向辺と、前記第１の対向辺の端部を接続する第２の対向辺を有し、
前記磁石は、各第２の対向辺に沿って設けられている、請求項１又は２記載のコネクタ。
【請求項４】
前記複数のピンのうち２以上のピンは、先端に前記カバーを前記第１の位置を超えた前記第２の位置とは反対方向への移動を規制するストッパを有する、請求項１乃至３のいずれか１項記載のコネクタ。
【請求項５】
前記底部に前記複数のピンと同方向に柱状に突出する一対のガイドピンを更に備え、
前記カバーは、前記一対の対向する側壁に沿って移動する第１の対向辺と、前記第１の対向辺の端部を接続する第２の対向辺と、前記第２の対向辺の近傍に設けられ前記一対のガイドピンが貫通するガイド孔を有し、
前記一対のガイドピンは、先端に前記カバーを前記第１の位置を超えた前記第２の位置とは反対方向への移動を規制するストッパを有する、請求項１乃至３のいずれか１項記載のコネクタ。
【請求項６】
基板と、
請求項１乃至５のいずれか１項記載のコネクタを備え、
前記枠部及び前記電磁石は前記基板上に設けられている、装置。
【発明の詳細な説明】
【技術分野】
【０００１】
本発明は、コネクタ及びコネクタを有する装置に係り、特に柱状に突出する複数のピンを有するコネクタ、及びそのようなコネクタを有する装置に関する。
【背景技術】
【０００２】
図１は、従来のコネクタの一例を説明する斜視図である。雄側のコネクタ１は、複数のピン２を有し、基板５上に設けられている。基板５上には一対のガイドピン６が設けられている。一方、雌側のコネクタ７は、基板５とは別の基板又は装置８に設けられている。装置８には、ガイドピン６が挿入されるガイド穴（図示せず）が設けられている。ガイドピン６は、コネクタ１，７を接続する際に、コネクタ１，７同士を位置決めすると共に、コネクタ１，７間の接続を円滑、且つ、正確に行うために設けられている。ガイドピン６による案内により、コネクタ１，７を接続する際にピン２が曲げ等のダメージを受けにくくしている。
【０００３】
コネクタ１，７同士の位置決め及び適切な案内を行うためには、ガイドピン６は基板５の表面に対して垂直に延びている必要があり、又、設計された位置に正確に取り付けられている必要がある。しかし、部品の製造誤差や取り付け誤差等により、ガイドピン６が基板５の表面に対して正確に垂直ではない場合がある。このような場合には、コネクタ１，７を接続する際に案内が円滑、且つ、正確に行われず、接続時にピン２に曲げ等のダメージを与えてしまう可能性がある。更に、ピン２に曲げ等のダメージを与えてしまうと、コネクタ１，７間で適切な電気的接続を行えなくなって確実な電気的接続が行えない可能性が高い。
【０００４】
又、基板５上にガイドピン６を設ける場合、基板５上の利用可能面積がガイドピン６を設ける分だけ狭められ、配線や素子等の配置の自由度が低下してしまう。これと同様に、装置８側でもガイド穴を設ける分、装置８における配線や素子等の配置の自由度が低下してしまう。
【先行技術文献】
【特許文献】
【０００５】
【特許文献１】特開２００８−７１２４６号公報
【特許文献２】特開２００７−７３３７３号公報
【特許文献３】特開２００７−５１１０５３号公報
【発明の概要】
【発明が解決しようとする課題】
【０００６】
従来のコネクタでは、ピンへのダメージを防止して確実な電気的接続を可能とすることが難しいという問題があった。
【０００７】
そこで、本発明は、ピンへのダメージを防止して確実な電気的接続を可能とすることが可能なコネクタ及びコネクタを有する装置を提供することを目的とする。
【課題を解決するための手段】
【０００８】
本発明の一観点によれば、一対の対向する側壁と前記側壁を接続する底部で形成される内部空間を有する枠部と、前記内部空間内で前記底部から柱状に突出する複数のピンと、前記複数のピンが貫通する複数の穴と磁石を有し、前記内部空間内で前記複数のピンに案内されて前記複数のピンを保護する第１の位置と前記複数のピンを外部部材と電気的に接続可能に露出させる第２の位置の間を移動可能なカバーと、前記枠部に設けられ、前記外部部材の前記内部空間への挿入を検知すると検知信号を出力する検知部と、前記磁石に対向する前記底部上の位置に設けられた電磁石と、前記検知信号が入力されない期間は前記電磁石を前記磁石と同極性の磁場を発生する正常オン状態に制御して前記カバーを前記第１の位置まで移動させると共に、前記検知信号が入力されると前記電磁石をオフ状態又は前記磁石と反対極性の磁場を発生する反転オン状態に制御して前記カバーを前記第２の位置まで移動させる制御部を備えたコネクタが提供される。
【０００９】
本発明の一観点によれば、基板と、上記コネクタを備え、前記枠部及び前記電磁石は前記基板上に設けられている装置が提供される。
【発明の効果】
【００１０】
開示のコネクタ及びコネクタを有する装置によれば、ピンへのダメージを防止して確実な電気的接続を可能とすることができる。
【図面の簡単な説明】
【００１１】
【図１】従来のコネクタの一例を説明する斜視図である。
【図２】本発明の第１実施例におけるコネクタをカバーを取り外した状態で示す斜視図である。
【図３】図２に示すコネクタのカバーが第１の位置にある状態を示す斜視図である。
【図４】図２に示すコネクタのカバーが第２の位置にある状態を示す斜視図である。
【図５】検知部、制御部及び電磁石を示すブロック図である。
【図６】カバーの一例を示す底面図である。
【図７】図６のカバーに対する電磁石の配置を示す平面図である。
【図８】カバーの他の例を示す底面図である。
【図９】図８のカバーに対する電磁石の配置を示す平面図である。
【図１０】本発明の第２実施例におけるコネクタをカバーを取り外した状態で示す斜視図である。
【図１１】図１０に示すコネクタのカバーが第１の位置にある状態を示す斜視図である。
【図１２】図１１におけるストッパ部分を示す断面図である。
【図１３】図１２のストッパ部分の一部を拡大して示す断面図である。
【図１４】雄側のコネクタと雌側のコネクタを示す側面図である。
【図１５】図１４のコネクタ同士が接続される様子を示す側面図である。
【図１６】図１４のコネクタ同士が接続された状態を示す側面図である。
【図１７】図１４のコネクタ同士が接続された状態を示す斜視図である。
【図１８】図１４のコネクタ同士が接続された状態を示す断面図である。
【発明を実施するための形態】
【００１２】
開示のコネクタ及びコネクタを有する装置では、複数のピンが貫通する複数の穴と磁石を有するカバーを枠部の内部空間内で第１及び第２の位置の間を移動可能に設ける。第１の位置では複数のピンはカバーにより保護され、第２の位置ではピンは外部部材と電気的に接続可能に露出される。枠部には、外部部材の内部空間への挿入を検知すると検知信号を出力する検知が設けられている。制御部は、検知信号が入力されない期間はカバーの磁石と対向する電磁石を磁石と同極性の磁場を発生する正常オン状態に制御してカバーを第１の位置まで移動させ、検知信号が入力されると電磁石をオフ状態又は磁石と反対極性の磁場を発生する反転オン状態に制御してカバーを第２の位置まで移動させる。
【００１３】
電磁石を正常オン状態に制御することで、カバーは第１の位置でピンへのダメージを防止することができる。又、電磁石をオフ状態又は反転オン状態に制御することで、カバーは第２の位置へ移動して外部部材とピンとの確実な電気的接続を可能とする。
【００１４】
以下に、本発明のコネクタ及びコネクタを有する装置の各実施例を、図２以降と共に説明する
【実施例】
【００１５】
図２は、本発明の第１実施例におけるコネクタをカバーを取り外した状態で示す斜視図である。図２に示すコネクタ１１は、枠部１２、複数のピン１３、カバー１４、検知部１５、電磁石１６、及び制御部１７を有する。
【００１６】
枠部１２は、一対の対向する側壁１２１と側壁１２１を接続する底部１２２で形成される内部空間１２Ａを有する。側壁１２１には案内部１２５が設けられており、底部１２２にはピン１３と同方向に延びる一対のガイドピン１２４が設けられている。ガイドピン１２４の先端には、ストッパ１２４Ａが設けられている。尚、底部１２２の側面に設けられた取り付け部１２９は、コネクタ１１を基板や装置等（図示せず）に取り付け易くするために設けられているものであり、省略可能である。
【００１７】
カバー１４は、絶縁材料で形成された板状部材で形成されている。カバー１４は、磁石１４１、ピン１３が貫通する複数の穴１４２、ガイドピン１２４用のガイド孔１４３、及び側壁１２１の案内部１２５により案内される切り欠き部１４５を有する。カバー１４は、内部空間１２Ａ内でピン１３に案内されてピン１３を保護する第１の位置と、ピン１３を別のコネクタ等の外部部材（図示せず）と電気的に接続可能に露出させる第２の位置の間を移動可能に設けられる。
【００１８】
図３は、図２に示すコネクタ１１のカバー１４が第１の位置にある状態を示す斜視図であり、図４は、図２に示すコネクタ１１のカバー１４が第２の位置にある状態を示す斜視図である。
【００１９】
側壁１２１に設けられた案内部１２５は、カバー１４の切り欠き部１４５と係合してカバー１４の第１及び第２の位置間の移動を案内する案内手段を形成する。又、ピン１３自体も、カバー１４の第１及び第２の位置間の移動を案内する案内手段を形成する。このため、カバー１４は円滑、且つ、安定に第１及び第２の位置間を移動可能である。カバー１４は、ガイドピン１２４に設けられたストッパ１２４Ａにより第１の位置を超えた上方向、即ち、第２の位置とは反対方向への移動を規制される。
【００２０】
ピン１３は、導電性材料で形成されており、内部空間１２Ａ内で底部１２２から柱状に図２中上方向に突出している。ピン１３の底部１２４からの突出量は、ピン１３の先端が側壁１２１の上端縁から突出しない量である。又、第１の位置では、ピン１３の先端がカバー１４の穴１４２から突出しないようになっている。底部１２２の表面と平行な面に沿ったピン１３の断面形状は、本実施例では一例として円形であるが、断面形状は特に限定されない。ピン１３の断面形状は、楕円であっても、矩形であっても、５角形以上の多角形であっても良い。又、ピン１３の先端は、テーパ又は丸みを有することが望ましい。
【００２１】
検知部１５は、枠部１２の適切な位置に設けられ、外部部材の内部空間１２Ａへの挿入を検知すると検知信号を出力する。検知部１５は、光学センサ、接触センサ、超音波センサ等で形成可能であり、センサの種類は特に限定されない。本実施例では、検知部１５は一例として、一方の側壁１２１の上端縁部分に設けられている。電磁石１６は、磁石１４１に対向する底部１２２上の位置に設けられている。
【００２２】
電磁石１６は、検知部１５が出力する検知信号に応じて制御部１７により制御される。この制御部１７は、検知部１５からの検知信号が入力されない期間は電磁石１６を磁石１４１と同極性の磁場を発生する正常オン状態に制御してカバー１４を第１の位置まで移動させると共に、検知信号が入力されると電磁石１６をオフ状態又は磁石１４１と反対極性の磁場を発生する反転オン状態に制御してカバー１４を第２の位置まで移動させる。例えば、磁石１４１のＮ極が図２中下側を向いているとすると、正常オン状態に制御された電磁石１６のＮ極は上側を向き、反転オン状態に制御された電磁石１６のＳ極は上側を向く。
【００２３】
制御部１７は、コネクタ１１の任意の位置に設けられており、図３に示すように検知部１５と電磁石１６に電気的に接続されている。図５は、検知部１４、制御部１７及び電磁石１６を示すブロック図である。図２は、説明の便宜上、制御部１７が検知部１５が設けられている側の側壁１２１に設けられている場合を示すので、図２では制御部１７の位置が見えない。尚、後述するように、制御部１７はコネクタ１１に対して外付けされるものであっても良い。
【００２４】
図６は、カバー１４の一例を示す底面図である。この例では、カバー１４の底面のうち、ガイド孔１４３が設けられている両端部分以外の部分に磁石１４１が設けられている。
【００２５】
図７は、図６のカバー１４に対する電磁石１６の配置を示す平面図である。この場合、枠部１２の底部１２２の表面のうち、ガイドピン１２４が設けられている両端部分以外の部分に電磁石１６が設けられている。
【００２６】
図８は、カバー１４の他の例を示す底面図である。この例では、カバー１４の底面のうち、孔１４２が設けられている部分以外の部分、即ち、ガイド孔１４３が設けられている両端部分に磁石１４１が設けられている。つまり、カバー１４は、一対の対向する側壁１２１に沿って移動する第１の対向辺と、第１の対向辺の端部を接続する第２の対向辺を有するので、磁石１４１は各第２の対向辺に沿って設けられている。
【００２７】
図９は、図８のカバー１４に対する電磁石１６の配置を示す平面図である。この場合、枠部１２の底部１２２の表面のうち、ピン１３が設けられている部分以外の部分、即ち、ガイドピン１２４が設けられている両端部分に電磁石１６が設けられている。
【００２８】
図８及び図９に示す磁石１４１及び電磁石１６の配置によれば、図７及び図８の配置と比べると、ピン１３を流れる信号が磁石１４１及び／又は電磁石１６の磁場による影響を受けにくくすることができる。
【００２９】
尚、カバー１４に設けられる磁石１４１と電磁石１６の配置は、互いに対向する位置にあれば良く、電磁石１６が正常オン状態に制御されている場合にストッパ１２４Ａの規制下でカバー１４を安定に第１の位置に保てる配置であれば特に限定されない。
【００３０】
図１０は、本発明の第２実施例におけるコネクタをカバーを取り外した状態で示す斜視図であり、図１１は、図１０に示すコネクタのカバーが第１の位置にある状態を示す斜視図である。図１０及び図１１中、図２と同一部分には同一符号を付し、その説明は省略する。
【００３１】
本実施例では、枠部１２の底部１２２にガイドピン１２４が設けられていない。このため、カバー１４−１には、ガイドピン１２４用のガイド孔１４３が設けられていない。このため、上記第１実施例におけるコネクタ１１とコネクタ２１のサイズが同じ場合、コネクタ２１の方がピン１３の数を大きくすることが可能となる。
【００３２】
カバー１４−１の四隅の穴１４２Ａは、他の穴１４２より多少大きく形成されており、カバー１４−１が第１の位置にある状態では四隅のピン１３の先端に固定されたストッパ４３が穴１４２Ａ内に嵌入されるようになっている。
【００３３】
図１２は、図１１におけるストッパ部分を示す断面図であり、図１３は、図１２のストッパ部分の破線で囲んだ一部を拡大して示す断面図である。図１２及び図１３に示すように、穴１４２Ａは上部の大径部分と下部の小径部分を有し、ストッパ４３が穴１４２Ａの大径部分に嵌入される構造となっている。この例では、穴１４２Ａの小径部分は他の穴１４２と同じ径を有する。ストッパ４３は、ねじ止め、接着、半田等の周知の固定方法で四隅のピン１３の先端に固定される。
【００３４】
側壁１２１に設けられた案内部１２５は、カバー１４の切り欠き部１４５と係合してカバー１４の第１及び第２の位置間の移動を案内する案内手段を形成する。又、ピン１３自体も、カバー１４−１の第１及び第２の位置間の移動を案内する案内手段を形成する。このため、カバー１４−１は円滑、且つ、安定に第１及び第２の位置間を移動可能である。又、カバー１４−１は、特定のピン１３の先端に固定されたストッパ４３により第１の位置を超えた上方向、即ち、第２の位置とは反対方向への移動を規制される。
【００３５】
尚、先端にストッパ４３が固定されるピン１３は、四隅のピン１３に限定されるものではなく、カバー１４−１が上記案内手段により円滑、且つ、安定に第１及び第２の位置間を移動可能であれば、ストッパ４３が固定されるピン１３の位置は特に限定されない。しかし、カバー１４−１の円滑、且つ、安定した移動を保証するためには、ストッパ４３は少なくとも３以上のピン１３に固定されることが望ましい。
【００３６】
コネクタ２１の場合、磁石１４１及び電磁石１６の配置はコネクタ１１の場合と同様で良いため、その図示及び説明は省略する。
【００３７】
次に、コネクタ同士の接続について説明する。図１４は、雄側のコネクタと雌側のコネクタを示す側面図である。図１４中、図２と同一部分には同一符号を付し、その説明は省略する。ここでは説明の便宜上、雄側のコネクタが図２に示すコネクタ１１と同様の構造を有するものとするが、図１０に示すコネクタ２１と同様の構造を有するものであっても良いことは言うまでもない。ただし、この例では制御部１７がコネクタ１１に対して外付けされている。
【００３８】
コネクタ１１は、基板６１の上面６１−１に取り付けられている。基板６１は、所謂プリント回路基板であっても良い。基板６１の下面６１−２には、制御部１７が搭載されている。制御部１７は、基板６１の下面６１−２及び上面６１−１に形成された配線（図示せず）により、コネクタ１１の検知部１５と電磁石１６に図５に示すように電気的に接続されている。制御部１７は、基板６１上に搭載された他の部品や回路を制御する機能を有するものであっても良い。コネクタ１１のピン１３は、基板６１の上面６１−１及び／又は下面６１−２に形成された配線、或いは、配線パターンにより、基板６１上に搭載された他の部品や回路と電気的に接続されている。
【００３９】
雌側のコネクタ７１は、枠部７２を有し、基板８１に取り付けられている。基板８１は、所謂プリント回路基板であっても良い。枠部７２内には、雄側のコネクタ１１の複数のピン１３と電気的に接続可能な複数の端子（図示せず）が設けられている。例えば、基板８１上に部品や回路が搭載されている場合、枠部７２内の複数の端子は、基板８１の上面及び／又は下面に形成された配線、或いは、配線パターンにより、基板８１上に搭載された他の部品や回路と電気的に接続されている。
【００４０】
図１４に示す状態では、雌側のコネクタ７１は雄側のコネクタ１１の枠部１２の内部空間１２Ａ内に挿入されていないので、雄側のコネクタ１１の検知部１５は検知信号を出力しない。制御部１７は、検知部１５からの検知信号が入力されない期間は電磁石１６を磁石１４１と同極性の磁場を発生する正常オン状態に制御するので、カバー１４は第１の位置にある。このため、雄側のコネクタ１１の枠部１２内のピン１３は、第１の位置にあるカバー１４により確実に保護されている。
【００４１】
図１５は、図１４のコネクタ１１，７１同士が接続される様子を示す側面図である。図１５に示すように、雌側のコネクタ７１の枠部７２が雄側のコネクタ１１の枠部１２内の内部空間１２Ａに挿入され、枠部７２が枠部１２に設けられた検知部１５の位置まで挿入されると、検知部１５は検知信号を出力する。これにより、制御部１７は、検知信号が入力されると電磁石１６をオフ状態又は磁石１４１と反対極性の磁場を発生する反転オン状態に制御するので、カバー１４は図１５に示す第１の位置から第２の位置へ移動する。これにより、雌側のコネクタ７１の枠部７２を雄側のコネクタ１１の枠部１２の内部空間１２Ａ内に挿入する際には、直前までピン１３を保護していたカバー１４は第２の位置へ移動して挿入操作に干渉することはないので、枠部７２は枠部１２の側壁１２１に設けられた案内部１２５を含む内壁により案内され、雌側のコネクタ７１を円滑、且つ、安定して雄側のコネクタ１１に接続することができる。
【００４２】
図１６、図１７及び図１８は、夫々図１４のコネクタ１１，１７同士が接続された状態を示す側面図、斜視図及び断面図である。図１６〜図１８に示す状態では、雌側のコネクタ７１の枠部７２内の複数の端子は、雄側のコネクタ１１の枠部１２内の対応するピン１３と電気的に接続している。
【００４３】
図１４〜図１８からもわかるように、基板６１上にはコネクタ１１，１７の接続を案内するための専用のガイドピン等を設ける必要がなく、基板８１上にもガイドピン等に対応するガイド穴等を設ける必要がない。このため、コネクタ１１，７１の接続を円滑、且つ、安定に行うための機構により基板６１，８１上の利用可能面積が減少したり、配線や素子等の配置の自由度が低下してしまうことはない。更に、例えば図１７からもわかるように、基板６１，８１同士が直交する配置でもコネクタ１１，１７を容易に接続することができるので、基板６１，８１同士が平行となる配置以外でもコネクタ１１，１７を円滑、且つ、安定に接続することができ、コネクタにより接続される基板や装置のレイアウトの自由度が向上する。
【００４４】
以上の実施例を含む実施形態に関し、更に以下の付記を開示する。
（付記１）
一対の対向する側壁と前記側壁を接続する底部で形成される内部空間を有する枠部と、
前記内部空間内で前記底部から柱状に突出する複数のピンと、
前記複数のピンが貫通する複数の穴と磁石を有し、前記内部空間内で前記複数のピンに案内されて前記複数のピンを保護する第１の位置と前記複数のピンを外部部材と電気的に接続可能に露出させる第２の位置の間を移動可能なカバーと、
前記枠部に設けられ、前記外部部材の前記内部空間への挿入を検知すると検知信号を出力する検知部と、
前記磁石に対向する前記底部上の位置に設けられた電磁石と、
前記検知信号が入力されない期間は前記電磁石を前記磁石と同極性の磁場を発生する正常オン状態に制御して前記カバーを前記第１の位置まで移動させると共に、前記検知信号が入力されると前記電磁石をオフ状態又は前記磁石と反対極性の磁場を発生する反転オン状態に制御して前記カバーを前記第２の位置まで移動させる制御部を備えた、コネクタ。
（付記２）
前記複数のピンの突出量は前記複数のピンの先端が前記一対の対向する側壁の上端縁から突出しない量であり、
前記前記第１の位置では、前記複数のピンの先端が前記カバーの前記複数の穴から突出しない、付記１記載のコネクタ。
（付記３）
前記磁石は、前記カバーの前記底部と対向する対向面に設けられている、付記１又は２記載のコネクタ。
（付記４）
前記磁石は、前記カバーの前記対向面のうち、前記複数の穴以外の位置に設けられている、付記３記載のコネクタ。
（付記５）
前記カバーは、前記一対の対向する側壁に沿って移動する第１の対向辺と、前記第１の対向辺の端部を接続する第２の対向辺を有し、
前記磁石は、各第２の対向辺に沿って設けられている、付記１乃至４のいずれか１項記載のコネクタ。
（付記６）
前記複数のピンのうち２以上のピンは、先端に前記カバーを前記第１の位置を超えた前記第２の位置とは反対方向への移動を規制するストッパを有する、付記１乃至５のいずれか１項記載のコネクタ。
（付記７）
前記底部に前記複数のピンと同方向に柱状に突出する一対のガイドピンを更に備え、
前記カバーは、前記一対の対向する側壁に沿って移動する第１の対向辺と、前記第１の対向辺の端部を接続する第２の対向辺と、前記第２の対向辺の近傍に設けられ前記一対のガイドピンが貫通するガイド孔を有する、付記１乃至５のいずれか１項記載のコネクタ。
（付記８）
前記一対のガイドピンは、先端に前記カバーを前記第１の位置を超えた前記第２の位置とは反対方向への移動を規制するストッパを有する、付記７記載のコネクタ。
（付記９）
前記一対の対向する側壁は、前記カバーの前記第１及び第２の位置間の移動を案内する案内手段を有する、付記１乃至８のいずれか１項記載のコネクタ。
（付記１０）
前記カバーは、板状部材で形成されている、付記１乃至９のいずれか１項記載のコネクタ。
（付記１１）
前記検知部は、光学センサ、接触センサ、超音波センサからなるグループから選択された１つのセンサである、付記１乃至１０のいずれか１項記載のコネクタ。
（付記１２）
基板と、
付記１乃至１０のいずれか１項記載のコネクタを備え、
前記枠部及び前記電磁石は前記基板上に設けられている、装置。
（付記１３）
前記制御部は前記基板上に設けられている、付記１２記載の装置。
（付記１４）
前記制御部は前記基板とは異なる基板上に設けられている、付記１２記載の装置。
【００４５】
以上、本発明を実施例により説明したが、本発明は上記実施例に限定されるものではなく、本発明の範囲内で種々の変形及び改良が可能であることは言うまでもない。
【符号の説明】
【００４６】
１１，２１，７１      コネクタ
１２，７２      枠部
１２Ａ      内部空間
１３      ピン
１４，１４−１      カバー
１５      検知部
１６      電磁石
１７      制御部
４３，１２４Ａ      ストッパ
６１，８１      基板
１２１      側壁
１２２      底部
１４１      磁石
１４２      穴
【図１】
2010225331.tif 000003
【図２】
2010225331.tif 000004
【図３】
2010225331.tif 000005
【図４】
2010225331.tif 000006
【図５】
2010225331.tif 000007
【図６】
2010225331.tif 000008
【図７】
2010225331.tif 000009
【図８】
2010225331.tif 000010
【図９】
2010225331.tif 000011
【図１０】
2010225331.tif 000012
【図１１】
2010225331.tif 000013
【図１２】
2010225331.tif 000014
【図１３】
2010225331.tif 000015
【図１４】
2010225331.tif 000016
【図１５】
2010225331.tif 000017
【図１６】
2010225331.tif 000018
【図１７】
2010225331.tif 000019
【図１８】
2010225331.tif 000020